(57)【要約】【課題】  登録したコンテンツの登録時点およびその前後の登録者の状況情報を付与し、情報閲覧者が検索する時点およびその前後の検索者の状況と比較し、情報閲覧者の状況に近い登録情報を提供するコンテンツ管理システムおよびそのプログラムを提供する。【解決手段】  登録者が送信したコンテンツを受信して登録するコンテンツ登録手段と、受信の際に登録者の状況を把握する登録者状況情報を収集する登録者状況情報収集手段と、登録者状況情報を登録済みのコンテンツと関連づけて記憶する関連付け記憶手段と、コンテンツ検索要求を受信する検索要求受信手段と、検索者の状況を把握する検索者状況情報を収集する検索者状況情報収集手段と、検索者状況情報に完全もしくは一部が合致する登録者状況情報と関連づけられたコンテンツを呼出すコンテンツ呼出し手段と、呼出されたコンテンツをネットワークを介して検索者へ提供するためのコンテンツ提供手段による。【選択図】      図１
2005259099.tif 000002
【特許請求の範囲】
【請求項１】
ネットワークを介して登録者が登録するために送信したコンテンツを受信して登録するコンテンツ登録手段と、
前記コンテンツの受信の際に前記登録者の状況を把握するための情報である登録者状況情報を収集する登録者状況情報収集手段と、
前記登録者状況情報を登録済みの前記コンテンツと関連づけて記憶する関連付け記憶手段と、
前記ネットワークを介して検索者が前記コンテンツを検索するために送信したコンテンツ検索要求を受信する検索要求受信手段と、
前記コンテンツ検索要求の受信時に前記検索者の状況を把握するための情報である検索者状況情報を収集する検索者状況情報収集手段と、
前記検索者状況情報に完全もしくは一部が合致する前記登録者状況情報と関連づけられた前記コンテンツを前記コンテンツ登録手段から呼出すコンテンツ呼出し手段と、
前記コンテンツ呼出し手段により呼出された前記コンテンツを前記ネットワークを介して前記検索者へ提供するためのコンテンツ提供手段と、
を備えることを特徴とするコンテンツ管理システム。
【請求項２】
前記登録者状況情報は、
すくなくとも、前記登録者の位置を示す登録位置情報、前記登録がされた時刻を示す登録時刻情報、前記位置における天候を示す登録位置天候情報、および当該登録者状況情報と前記検索者状況情報のうちのすくなくとも一つ、の一部あるいは全部を共有する関係をもつ関係者と前記登録者との相対距離を示す関係者距離情報、および前記登録者に対する前記関係者の種類や有無および人数を示す関係状況情報を含むことを特徴とする請求項１に記載のコンテンツ管理システム。
【請求項３】
前記検索者状況情報は、
すくなくとも、前記検索者の位置を示す検索位置情報、前記検索がされた時刻を示す検索時刻情報、前記位置における天候を示す検索位置天候情報、および前記登録者状況情報と当該検索者状況情報のうちのすくなくとも一つ、の一部あるいは全部を共有する関係をもつ関係者と前記検索者との相対距離を示す関係者距離情報、および前記登録者に対する前記関係者の種類や有無および人数を示す関係状況情報を含むことを特徴とする請求項１に記載のコンテンツ管理システム。
【請求項４】
前記登録者状況情報は、
前記コンテンツが登録された時点での前記登録者状況情報を含むことを特徴とする請求項１に記載のコンテンツ管理システム。
【請求項５】
前記検索者状況情報は、
前記コンテンツが検索された時点での前記検索者状況情報を含むことを特徴とする請求項１に記載のコンテンツ管理システム。
【請求項６】
前記登録者状況情報は、
前記関係状況情報と、前記関係者距離情報と、前記登録位置情報と、前記登録位置天候情報と、を定期的に収集する定期収集手段により収集されて時系列的に存在する状況情報群を、前記コンテンツが登録された時刻およびその前後一定時間分で抽出された登録情報経時変動情報が含まれることを特徴とする請求項２または３のいずれかに記載のコンテンツ管理システム。
【請求項７】
前記検索者状況情報は、
前記関係状況情報と、前記関係者距離情報と、前記検索位置情報と、前記検索位置天候情報と、を定期的に収集する定期収集手段により収集されて時系列的に存在する状況情報群を、前記コンテンツが検索された時刻およびその前一定時間分で抽出された検索情報経時変動情報が含まれることを特徴とする請求項２または３のいずれかに記載のコンテンツ管理システム。
【請求項８】
前記登録情報経時変動情報は、
すくなくとも、前記登録位置情報の変化を示す変化情報、前記登録位置情報で示される位置に前記登録者が滞在していた滞在時間情報、前記登録位置情報が示す位置の天候変化を示す天候変化情報、前記登録者と前記関係者との距離の変化情報、前記登録者の近傍に一定時間で滞在している前記関係者の関係者滞在情報、前記登録者に対する前記関係者の種類や有無および人数の変化を示す関係変化情報、のうちのいずれかを含むことを特徴とする請求項６に記載のコンテンツ管理システム。
【請求項９】
前記検索者状況情報は、
前記情報検索後の検索者状況情報候補を前記検索者に提示する提示手段により提示された前記検索者状況情報候補の中から、前記検索者が選択した検索者状況情報を含むことを特徴とする請求項１に記載のコンテンツ管理システム。
【請求項１０】
前記検索時間変動情報は、
すくなくとも、前記検索位置情報の変化を示す変化情報、前記検索位置情報で示される位置に前記検索者が滞在していた滞在時間情報、前記検索位置情報が示す位置の天候変化を示す天候変化情報、前記検索者と前記関係者との距離の変化情報、前記検索者の近傍に一定時間で滞在している前記関係者の関係者滞在情報、前記検索者に対する前記関係者の種類や有無および人数の変化を示す関係変化情報、のうちのいずれかを含むことを特徴とする請求項８または９のいずれかに記載のコンテンツ管理システム。
【請求項１１】
前記コンテンツ呼出し手段は、
前記登録者状況情報と前記検索者状況情報のとが合致した度合を評価し、この評価に基づいた優先度でもって前記コンテンツの呼出しを行う優先度付け手段を備えることを特徴とする請求項１、６、８、９のうちのいずれかに記載のコンテンツ管理システム。
【請求項１２】
前記検索者状況情報を演算処理して統計情報を生成する統計処理手段と、
前記統計情報を前記登録者に通知する統計情報通知手段と
を備えることを特徴とする請求項１、６、８、９、１１のうちのいずれかに記載のコンテンツ管理システム。
【請求項１３】
前記検索者状況情報の統計を取得する手段と、
前記登録者状況情報を、検索者状況の統計情報により修正する手段と、
を備えることを特徴とする請求項１、６、８、９、１１、１２に記載のコンテンツ管理システム。
【請求項１４】
前記登録者状況情報は、
前記登録者によって修正可能なことを特徴とする請求項１、６、８、９、１１〜１３のうちのいずれかに記載のコンテンツ管理システム。
【請求項１５】
v  ネットワークを介して登録者が登録するために送信したコンテンツを受信するためのコンテンツ登録手段により前記コンテンツを受信して登録するステップと、
前記コンテンツの受信の際に前記登録者の状況を把握するための情報である登録者状況情報を収集するための登録者状況情報収集手段により前記登録者状況情報を収集するステップと、
前記登録者状況情報を登録済みの前記コンテンツと関連づけて記憶するための関連付け記憶手段により前記状況情報を記憶するステップと、
前記ネットワークを介して検索者が前記コンテンツを検索するために送信したコンテンツ検索要求を受信するための検索要求受信手段により前記コンテンツ検索要求を受信するステップと、
前記コンテンツ検索要求の受信時に前記検索者の状況を把握するための情報である検索者状況情報を収集するための検索者状況情報収集手段により前記検索者状況情報を収集するステップと、
前記検索者状況情報に完全もしくは一部が合致する前記登録者状況情報と関連づけられた前記コンテンツを前記コンテンツ登録手段から呼出すためのコンテンツ呼出し手段により前記コンテンツを呼出すステップと、
前記コンテンツ呼出し手段により呼出された前記コンテンツを前記ネットワークを介して前記検索者へ提供するためのコンテンツ提供手段により前記コンテンツを提供するステップと、
を備えることを特徴とするコンテンツ管理プログラム。
【請求項１６】
前記登録者状況情報は、
すくなくとも、前記登録者の位置を示す登録位置情報、前記登録がされた時刻を示す登録時刻情報、前記位置における天候を示す登録位置天候情報、および当該登録者状況情報と前記検索者状況情報のうちのすくなくとも一つ、の一部あるいは全部を共有する関係をもつ関係者と前記登録者との相対距離を示す関係者距離情報、および前記登録者に対する前記関係者の種類や有無および人数を示す関係状況情報を含むことを特徴とする請求項１５に記載のコンテンツ管理プログラム。
【請求項１７】
前記検索者状況情報は、
すくなくとも、前記検索者の位置を示す検索位置情報、前記検索がされた時刻を示す検索時刻情報、前記位置における天候を示す検索位置天候情報、および前記登録者状況情報と当該検索者状況情報のうちのすくなくとも一つ、の一部あるいは全部を共有する関係をもつ関係者と前記検索者との相対距離を示す関係者距離情報、および前記登録者に対する前記関係者の種類や有無および人数を示す関係状況情報を含むことを特徴とする請求項１５に記載のコンテンツ管理プログラム。
【請求項１８】
前記登録者状況情報は、
前記コンテンツが登録された時点での前記登録者状況情報を含むことを特徴とする請求項１５に記載のコンテンツ管理プログラム。
【請求項１９】
前記検索者状況情報は、
前記コンテンツが検索された時点での前記検索者状況情報を含むことを特徴とする請求項１５に記載のコンテンツ管理プログラム。
【請求項２０】
前記登録者状況情報は、
前記関係状況情報と、前記関係者距離情報と、前記登録位置情報と、前記登録位置天候情報と、を定期的に収集する定期収集手段により収集されて時系列的に存在する状況情報群を、前記コンテンツが登録された時刻およびその前後一定時間分で抽出された登録情報経時変動情報が含まれることを特徴とする請求項１６または１７のいずれかに記載のコンテンツ管理プログラム。
【請求項２１】
前記検索者状況情報は、
前記関係状況情報と、前記関係者距離情報と、前記検索位置情報と、前記検索位置天候情報と、を定期的に収集する定期収集手段により収集されて時系列的に存在する状況情報群を、前記コンテンツが検索された時刻およびその前一定時間分で抽出された検索情報経時変動情報が含まれることを特徴とする請求項１６または１７のいずれかに記載のコンテンツ管理プログラム。
【請求項２２】
前記登録情報経時変動情報は、
すくなくとも、前記登録位置情報の変化を示す変化情報、前記登録位置情報で示される位置に前記登録者が滞在していた滞在時間情報、前記登録位置情報が示す位置の天候変化を示す天候変化情報、前記登録者と前記関係者との距離の変化情報、前記登録者の近傍に一定時間で滞在している前記関係者の関係者滞在情報、前記登録者に対する前記関係者の種類や有無および人数の変化を示す関係変化情報、のうちのいずれかを含むことを特徴とする請求項２０に記載のコンテンツ管理プログラム。
【請求項２３】
前記検索者状況情報は、
前記情報検索後の検索者状況情報候補を前記検索者に提示する提示手段により提示された前記検索者状況情報候補の中から、前記検索者が選択した検索者状況情報を含むことを特徴とする請求項１５に記載のコンテンツ管理プログラム。
【請求項２４】
前記検索時間変動情報は、
すくなくとも、前記検索位置情報の変化を示す変化情報、前記検索位置情報で示される位置に前記検索者が滞在していた滞在時間情報、前記検索位置情報が示す位置の天候変化を示す天候変化情報、前記検索者と前記関係者との距離の変化情報、前記検索者の近傍に一定時間で滞在している前記関係者の関係者滞在情報、前記検索者に対する前記関係者の種類や有無および人数の変化を示す関係変化情報、のうちのいずれかを含むことを特徴とする請求項２２または２３のいずれかに記載のコンテンツ管理プログラム。
【請求項２５】
前記コンテンツ呼出し手段は、
前記登録者状況情報と前記検索者状況情報のとが合致した度合を評価し、この評価に基づいた優先度でもって前記コンテンツの呼出しを行う優先度付け手段を備えることを特徴とする請求項１５、２０、２２、２３のうちのいずれかに記載のコンテンツ管理プログラム。
【請求項２６】
前記検索者状況情報を演算処理して統計情報を生成する統計処理手段と、
前記統計情報を前記登録者に通知する統計情報通知手段と
を備えることを特徴とする請求項１５、２０、２２、２３、２５のうちのいずれかに記載のコンテンツ管理プログラム。
【請求項２７】
前記検索者状況情報の統計を取得する手段と、
前記登録者状況情報を、検索者状況の統計情報により修正する手段と、
を備えることを特徴とする請求項１５、２０、２２、２３、２５、２６のうちのいずれかにに記載のコンテンツ管理プログラム。
【請求項２８】
前記登録者状況情報は、
前記登録者によって修正可能なことを特徴とする請求項１５、２０、２２、２３、２５〜２７のうちのいずれかに記載のコンテンツ管理プログラム。
【請求項２９】
前記登録者が登録したコンテンツを公開する利用者を指定するためのコンテンツ公開先利用者指定手段を含むことを特徴とする請求項１〜１４のいずれかに記載のコンテンツ管理システム。
【請求項３０】
前記定期収集手段によって前記検索者状況情報が収集されたことを契機に、収集された検索者状況情報と、前記登録者状況情報収集手段によって収集された登録者状況情報または前記登録者によって明示的に修正された登録者状況情報を比較するための定期状況情報比較手段と、を含み、
前記定期状況情報比較手段によって前記検索者状況情報に完全もしくは一部が合致する前記登録者状況情報と関連づけられた前記コンテンツを前記コンテンツ登録手段から前記コンテンツ呼び出し手段を用いて呼び出し、前記コンテンツ提供手段を用いて呼び出したコンテンツを前記ネットワークを介して前記検索者に通知することを特徴とする請求項１〜１４、２９のいずれかに記載のコンテンツ管理システム。
【請求項３１】
前記定期状況情報比較手段は、
前記コンテンツ公開先利用者指定手段により指定された利用者に限定して収集された検索者状況情報と、前記登録者状況情報収集手段によって収集された登録者状況情報または前記登録者によって明示的に修正された登録者状況情報を比較することを特徴とする請求項３０に記載のコンテンツ管理システム。
【請求項３２】
前記定期状況情報比較手段は、
収集された検索者状況情報と比較する登録者状況情報として、前記登録者によって明示的に修正された登録者状況情報のみを利用することを特徴とする請求項３０、３１のいずれかに記載のコンテンツ管理システム。
【請求項３３】
前記登録者が登録したコンテンツを公開する利用者を指定するためのコンテンツ公開先利用者指定手段を含むことを特徴とする請求項１５〜２８のいずれかに記載のコンテンツ管理プログラム。
【請求項３４】
前記定期収集手段によって前記検索者状況情報が収集されたことを契機に、収集された検索者状況情報と、前記登録者状況情報収集手段によって収集された登録者状況情報または前記登録者によって明示的に修正された登録者状況情報を比較するための定期状況情報比較手段と、を含み、
前記定期状況情報比較手段によって前記検索者状況情報に完全もしくは一部が合致する前記登録者状況情報と関連づけられた前記コンテンツを前記コンテンツ登録手段から前記コンテンツ呼び出し手段を用いて呼び出し、前記コンテンツ提供手段を用いて呼び出したコンテンツを前記ネットワークを介して前記検索者に通知することを特徴とする請求項１５〜２８、３３のいずれかに記載のコンテンツ管理プログラム。
【請求項３５】
前記定期状況情報比較手段は、
前記コンテンツ公開先利用者指定手段により指定された利用者に限定して収集された検索者状況情報と、前記登録者状況情報収集手段によって収集された登録者状況情報または前記登録者によって明示的に修正された登録者状況情報を比較することを特徴とする請求項３４に記載のコンテンツ管理プログラム。
【請求項３６】
前記定期状況情報比較手段は、
収集された検索者状況情報と比較する登録者状況情報として、前記登録者によって明示的に修正された登録者状況情報のみを利用することを特徴とする請求項３４、３５のいずれかに記載のコンテンツ管理プログラム。
【発明の詳細な説明】
【技術分野】
【０００１】
本発明は、移動体通信網またはインターネットに接続された利用者端末から情報提供者が登録した情報を、情報登録時の情報提供者の状況あるいは情報登録者が明示的に指定した状況と関連づけて管理し、他の利用者からの情報閲覧要求時もしくは一定時間毎に利用者の状況に近い情報を選択して、利用者の端末に通知するコンテンツ管理プログラムおよびそのプログラムに関する。
【背景技術】
【０００２】
従来の技術における利用者間で簡易に情報を共有する方法として、情報提供者が公開情報を登録した位置を登録情報に自動的に付与し、情報検索者が情報を検索する際の位置に応じて公開情報を開示するという方法が知られている。（特許文献１参照）
【特許文献１】公開公報：特開２００３−２８８３５７
【発明の開示】
【発明が解決しようとする課題】
【０００３】
しかしながら、こうした従来の方法では、登録情報には登録位置以外の付加情報が付与されていないため、特定位置に多数の公開情報が登録されている場合、情報検索者は登録情報の内容（コンテンツ）を一つ一つ判断して、自分にあった情報を選択する必要があった。
【０００４】
また、情報検索者が公開情報を位置以外のキーワードでさらに絞り込めるようにするためには、情報登録者もしくはその他の第３者が、登録された公開情報に位置以外の付加情報を手動で付与する必要があるため、位置に依存する情報以外の情報を簡易に共有することができなかった。
【０００５】
本発明は上記課題に鑑みてなされたもので、移動体通信網またはインターネットに接続された端末から情報提供者が登録したコンテンツに、コンテンツ登録時点およびその前後の登録者の状況情報を付与し、情報閲覧者が情報を検索する時点およびその前後の検索者の状況と比較することにより、情報閲覧者の状況に近い登録情報を提供するコンテンツ管理システムおよびそのプログラムを提供することを目的とする。
【課題を解決するための手段】
【０００６】
請求項１に記載の本発明は、ネットワークを介して登録者が登録するために送信したコンテンツを受信して登録するコンテンツ登録手段と、前記コンテンツの受信の際に前記登録者の状況を把握するための情報である登録者状況情報を収集する登録者状況情報収集手段と、前記登録者状況情報を登録済みの前記コンテンツと関連づけて記憶する関連付け記憶手段と、前記ネットワークを介して検索者が前記コンテンツを検索するために送信したコンテンツ検索要求を受信する検索要求受信手段と、前記コンテンツ検索要求の受信時に前記検索者の状況を把握するための情報である検索者状況情報を収集する検索者状況情報収集手段と、前記検索者状況情報に完全もしくは一部が合致する前記登録者状況情報と関連づけられた前記コンテンツを前記コンテンツ登録手段から呼出すコンテンツ呼出し手段と、前記コンテンツ呼出し手段により呼出された前記コンテンツを前記ネットワークを介して前記検索者へ提供するためのコンテンツ提供手段と、を備える。
【０００７】
また、請求項２に記載の本発明は、請求項１において、前記登録者状況情報は、すくなくとも、前記登録者の位置を示す登録位置情報、前記登録がされた時刻を示す登録時刻情報、前記位置における天候を示す登録位置天候情報、および当該登録者状況情報と前記検索者状況情報のうちのすくなくとも一つ、の一部あるいは全部を共有する関係をもつ関係者と前記登録者との相対距離を示す関係者距離情報、および前記登録者に対する前記関係者の種類や有無および人数を示す関係状況情報を含む。
【０００８】
また、請求項３に記載の本発明は、請求項１において、前記検索者状況情報は、すくなくとも、前記検索者の位置を示す検索位置情報、前記検索がされた時刻を示す検索時刻情報、前記位置における天候を示す検索位置天候情報、および前記登録者状況情報と当該検索者状況情報のうちのすくなくとも一つ、の一部あるいは全部を共有する関係をもつ関係者と前記検索者との相対距離を示す関係者距離情報、および前記登録者に対する前記関係者の種類や有無および人数を示す関係状況情報を含む。
【０００９】
また、請求項４に記載の本発明は、請求項１において、前記登録者状況情報は、前記コンテンツが登録された時点での前記登録者状況情報を含む。
【００１０】
また、請求項５に記載の本発明は、請求項１において、前記検索者状況情報は、前記コンテンツが検索された時点での前記検索者状況情報を含む。
【００１１】
また、請求項６に記載の本発明は、請求項２または３のいずれかにおいて、前記登録者状況情報は、前記関係状況情報と、前記関係者距離情報と、前記登録位置情報と、前記登録位置天候情報と、を定期的に収集する定期収集手段により収集されて時系列的に存在する状況情報群を、前記コンテンツが登録された時刻およびその前後一定時間分で抽出された登録情報経時変動情報が含まれる。
【００１２】
また、請求項７に記載の本発明は、請求項２または３のいずれかにおいて、前記検索者状況情報は、前記関係状況情報と、前記関係者距離情報と、前記検索位置情報と、前記検索位置天候情報と、を定期的に収集する定期収集手段により収集されて時系列的に存在する状況情報群を、前記コンテンツが検索された時刻およびその前一定時間分で抽出された検索情報経時変動情報が含まれる。
【００１３】
また、請求項８に記載の本発明は、請求項６において、前記登録情報経時変動情報は、すくなくとも、前記登録位置情報の変化を示す変化情報、前記登録位置情報で示される位置に前記登録者が滞在していた滞在時間情報、前記登録位置情報が示す位置の天候変化を示す天候変化情報、前記登録者と前記関係者との距離の変化情報、前記登録者の近傍に一定時間で滞在している前記関係者の関係者滞在情報、前記登録者に対する前記関係者の種類や有無および人数の関係の変化を示す関係変化情報、のうちのいずれかを含む。
【００１４】
また、請求項９に記載の本発明は、請求項１において、前記検索者状況情報は、前記情報検索後の検索者状況情報候補を前記検索者に提示する提示手段により提示された前記検索者状況情報候補の中から、前記検索者が選択した検索者状況情報を含む。
【００１５】
また、請求項１０に記載の本発明は、請求項８または９のいずれかにおいて、前記検索時間変動情報は、すくなくとも、前記検索位置情報の変化を示す変化情報、前記検索位置情報で示される位置に前記検索者が滞在していた滞在時間情報、前記検索位置情報が示す位置の天候変化を示す天候変化情報、前記検索者と前記関係者との距離の変化情報、前記検索者の近傍に一定時間で滞在している前記関係者の関係者滞在情報、前記検索者に対する前記関係者の種類や有無および人数の変化を示す関係変化情報、のうちのいずれかを含む。
【００１６】
また、請求項１１に記載の本発明は、請求項１、６、８、９のうちのいずれかにおいて、前記コンテンツ呼出し手段は、前記登録者状況情報と前記検索者状況情報のとが合致した度合を評価し、この評価に基づいた優先度でもって前記コンテンツの呼出しを行う優先度付け手段を備える。
【００１７】
また、請求項１２に記載の本発明は、請求項１、６、８、９、１１のうちのいずれかにおいて、前記検索者状況情報を演算処理して統計情報を生成する統計処理手段と、前記統計情報を前記登録者に通知する統計情報通知手段とを備える。
【００１８】
また、請求項１３に記載の本発明は、請求項１、６、８、９、１１、１２において、前記検索者状況情報の統計を取得する手段と、前記登録者状況情報を、検索者状況の統計情報により修正する手段と、を備える。
【００１９】
また、請求項１４に記載の本発明は、請求項１、６、８、９、１１〜１３のうちのいずれかにおいて、前記登録者状況情報は、前記登録者によって修正可能である。
【００２０】
また、請求項１５に記載の本発明は、ネットワークを介して登録者が登録するために送信したコンテンツを受信するためのコンテンツ登録手段により前記コンテンツを受信して登録するステップと、前記コンテンツの受信の際に前記登録者の状況を把握するための情報である登録者状況情報を収集するための登録者状況情報収集手段により前記登録者状況情報を収集するステップと、前記登録者状況情報を登録済みの前記コンテンツと関連づけて記憶するための関連付け記憶手段により前記状況情報を記憶するステップと、前記ネットワークを介して検索者が前記コンテンツを検索するために送信したコンテンツ検索要求を受信するための検索要求受信手段により前記コンテンツ検索要求を受信するステップと、前記コンテンツ検索要求の受信時に前記検索者の状況を把握するための情報である検索者状況情報を収集するための検索者状況情報収集手段により前記検索者状況情報を収集するステップと、前記検索者状況情報に完全もしくは一部が合致する前記登録者状況情報と関連づけられた前記コンテンツを前記コンテンツ登録手段から呼出すためのコンテンツ呼出し手段により前記コンテンツを呼出すステップと、前記コンテンツ呼出し手段により呼出された前記コンテンツを前記ネットワークを介して前記検索者へ提供するためのコンテンツ提供手段により前記コンテンツを提供するステップと、を備える。
【００２１】
また、請求項１６に記載の本発明は、請求項１５において、前記登録者状況情報は、すくなくとも、前記登録者の位置を示す登録位置情報、前記登録がされた時刻を示す登録時刻情報、前記位置における天候を示す登録位置天候情報、および当該登録者状況情報と前記検索者状況情報のうちのすくなくとも一つ、の一部あるいは全部を共有する関係をもつ関係者と前記登録者との相対距離を示す関係者距離情報、および前記登録者に対する前記関係者の種類や有無および人数を示す関係状況情報を含む。
【００２２】
また、請求項１７に記載の本発明は、請求項１５において、前記検索者状況情報は、すくなくとも、前記検索者の位置を示す検索位置情報、前記検索がされた時刻を示す検索時刻情報、前記位置における天候を示す検索位置天候情報、および前記登録者状況情報と当該検索者状況情報のうちのすくなくとも一つ、の一部あるいは全部を共有する関係をもつ関係者と前記検索者との相対距離を示す関係者距離情報、および前記登録者に対する前記関係者の種類や有無および人数を示す関係状況情報を含む。
【００２３】
また、請求項１８に記載の本発明は、請求項１５において、前記登録者状況情報は、前記コンテンツが登録された時点での前記登録者状況情報を含む。
【００２４】
また、請求項１９に記載の本発明は、請求項１５において、前記検索者状況情報は、前記コンテンツが検索された時点での前記検索者状況情報を含む。
【００２５】
また、請求項２０に記載の本発明は、請求項１６または１７のいずれかにおいて、前記登録者状況情報は、前記関係状況情報と、前記関係者距離情報と、前記登録位置情報と、前記登録位置天候情報と、を定期的に収集する定期収集手段により収集されて時系列的に存在する状況情報群を、前記コンテンツが登録された時刻およびその前後一定時間分で抽出された登録情報経時変動情報が含まれる。
【００２６】
また、請求項２１に記載の本発明は、請求項１６または１７のいずれかにおいて、前記検索者状況情報は、前記関係状況情報と、前記関係者距離情報と、前記検索位置情報と、前記検索位置天候情報と、を定期的に収集する定期収集手段により収集されて時系列的に存在する状況情報群を、前記コンテンツが検索された時刻およびその前一定時間分で抽出された検索情報経時変動情報が含まれる。
【００２７】
また、請求項２２に記載の本発明は、請求項２０において、前記登録情報経時変動情報は、すくなくとも、前記登録位置情報の変化を示す変化情報、前記登録位置情報で示される位置に前記登録者が滞在していた滞在時間情報、前記登録位置情報が示す位置の天候変化を示す天候変化情報、前記登録者と前記関係者との距離の変化情報、前記登録者の近傍に一定時間で滞在している前記関係者の関係者滞在情報、前記登録者に対する前記関係者の種類や有無および人数の関係の変化を示す関係変化情報、のうちのいずれかを含む。
【００２８】
また、請求項２３に記載の本発明は、請求項１５において、前記検索者状況情報は、前記情報検索後の検索者状況情報候補を前記検索者に提示する提示手段により提示された前記検索者状況情報候補の中から、前記検索者が選択した検索者状況情報を含む。
【００２９】
また、請求項２４に記載の本発明は、請求項２２または２３のいずれかにおいて、前記検索時間変動情報は、すくなくとも、前記検索位置情報の変化を示す変化情報、前記検索位置情報で示される位置に前記検索者が滞在していた滞在時間情報、前記検索位置情報が示す位置の天候変化を示す天候変化情報、前記検索者と前記関係者との距離の変化情報、前記検索者の近傍に一定時間で滞在している前記関係者の関係者滞在情報、前記検索者に対する前記関係者の種類や有無および人数の変化を示す関係変化情報、のうちのいずれかを含む。
【００３０】
また、請求項２５に記載の本発明は、請求項１５、２０、２２、２３のうちのいずれかにおいて、前記コンテンツ呼出し手段は、前記登録者状況情報と前記検索者状況情報のとが合致した度合を評価し、この評価に基づいた優先度でもって前記コンテンツの呼出しを行う優先度付け手段を備える。
【００３１】
また、請求項２６に記載の本発明は、請求項１５、２０、２２、２３、２５のうちのいずれかにおいて、前記検索者状況情報を演算処理して統計情報を生成する統計処理手段と、前記統計情報を前記登録者に通知する統計情報通知手段とを備える。
【００３２】
また、請求項２７に記載の本発明は、請求項１５、２０、２２、２３、２５、２６のうちのいずれかにおいて、前記検索者状況情報の統計を取得する手段と、前記登録者状況情報を、検索者状況の統計情報により修正する手段と、を備える。
【００３３】
また、請求項２８に記載の本発明は、請求項１５、２０、２２、２３、２５〜２７のうちのいずれかにおいて、前記登録者状況情報は、前記登録者によって修正可能である。
【００３４】
また、請求項２９に記載の本発明は、請求項１〜１４のいずれかにおいて、前記登録者が登録したコンテンツを公開する利用者を指定するためのコンテンツ公開先利用者指定手段を含む。
【００３５】
また、請求項３０に記載の本発明は、請求項１〜１４、２９のいずれかにおいて、前記定期収集手段によって前記検索者状況情報が収集されたことを契機に、収集された検索者状況情報と、前記登録者状況情報収集手段によって収集された登録者状況情報または前記登録者によって明示的に修正された登録者状況情報を比較するための定期状況情報比較手段と、を含み、前記定期状況情報比較手段によって前記検索者状況情報に完全もしくは一部が合致する前記登録者状況情報と関連づけられた前記コンテンツを前記コンテンツ登録手段から前記コンテンツ呼び出し手段を用いて呼び出し、前記コンテンツ提供手段を用いて呼び出したコンテンツを前記ネットワークを介して前記検索者に通知する。
【００３６】
また、請求項３１に記載の本発明は、請求項３０において、前記定期状況情報比較手段は、前記コンテンツ公開先利用者指定手段により指定された利用者に限定して収集された検索者状況情報と、前記登録者状況情報収集手段によって収集された登録者状況情報または前記登録者によって明示的に修正された登録者状況情報を比較する。
【００３７】
また、請求項３２に記載の本発明は、請求項３０、３１のいずれかにおいて、前記定期状況情報比較手段は、収集された検索者状況情報と比較する登録者状況情報として、前記登録者によって明示的に修正された登録者状況情報のみを利用する。
【００３８】
また、請求項３３に記載の本発明は、請求項１５〜２８のいずれかにおいて、前記登録者が登録したコンテンツを公開する利用者を指定するためのコンテンツ公開先利用者指定手段を含む。
【００３９】
また、請求項３４に記載の本発明は、請求項１５〜２８、３３のいずれかにおいて、前記定期収集手段によって前記検索者状況情報が収集されたことを契機に、収集された検索者状況情報と、前記登録者状況情報収集手段によって収集された登録者状況情報または前記登録者によって明示的に修正された登録者状況情報を比較するための定期状況情報比較手段と、を含み、前記定期状況情報比較手段によって前記検索者状況情報に完全もしくは一部が合致する前記登録者状況情報と関連づけられた前記コンテンツを前記コンテンツ登録手段から前記コンテンツ呼び出し手段を用いて呼び出し、前記コンテンツ提供手段を用いて呼び出したコンテンツを前記ネットワークを介して前記検索者に通知する。
【００４０】
また、請求項３５に記載の本発明は、請求項３４において、前記定期状況情報比較手段は、前記コンテンツ公開先利用者指定手段により指定された利用者に限定して収集された検索者状況情報と、前記登録者状況情報収集手段によって収集された登録者状況情報または前記登録者によって明示的に修正された登録者状況情報を比較する。
【００４１】
また、請求項３６に記載の本発明は、請求項３４、３５のいずれかにおいて、前記定期状況情報比較手段は、収集された検索者状況情報と比較する登録者状況情報として、前記登録者によって明示的に修正された登録者状況情報のみを利用する。
【発明の効果】
【００４２】
本発明によれば、移動体通信網またはインターネットに接続された端末から情報提供者が登録したコンテンツに、コンテンツ登録時点およびその前後の登録者の状況情報を付与し、情報閲覧者が情報を検索する時点およびその前後の検索者の状況と比較することにより、情報閲覧者の状況に近い登録情報を提供するコンテンツ管理システムおよびそのプログラムを提供することができる。また、特定の利用者の状況情報を定期的に監視することにより、利用者の状況に近い登録情報を自律的に利用者の端末に送信することができる。
【発明を実施するための最良の形態】
【００４３】
以下、図１〜図１１を参照して本発明の実施の形態を詳細に説明する。
【００４４】
以下の図１〜図１１では、本発明の実施の形態を実現する上で同じ機能を持つ構成要素には、同じ符号を付与する。また、以下の説明は、本発明の理解を助けるものであって、本発明の意図する技術的範囲を制限するものではない。
【００４５】
図１は本発明のコンテンツ管理システムの実施の形態に係るシステム構成の説明図であって、ユーザ端末１は広義での情報通信手段を表しており、携帯電話やＰＨＳなどの携帯電話端末１１と、パーソナルデジタルアシスタンス（ＰＤＡ）１２と、パーソナルコンピュータ１３とが含まれる。
【００４６】
また、コンテンツ管理サーバ２と、インターネット５上に存在する各種情報サイト３と、移動通信網４と、インターネット５と、ＲＦＩＤ（Ｒａｄｉｏ  Ｆｒｅｑｕｅｎｃｙ  Ｉｄｅｎｔｉｆｉｃａｔｉｏｎ）無線タグやＰＨＳなどの自身の物理的位置情報を移動通信網４を経由して、あるいは直接インターネット５へ発信することが可能な位置発信デバイス６とが示されている。
【００４７】
図１でユーザ（利用者）の携帯電話端末１１は移動通信網４に接続されている。また、ユーザのパーソナルデジタルアシスタンス１２およびパーソナルコンピュータ１３は、データ通信が可能なモバイルカードを搭載することにより、移動通信網４と接続されている。あるいは、インターネット５に直接接続されていてもよい。また位置発信デバイス６は、ＲＦＩＤタグリーダなどを介してインターネット５に直接に接続されている。あるいは、ＰＨＳ無線基地局を介して移動通信網４に接続されていてもよい。
【００４８】
図２は、本発明の実施の形態によるコンテンツ管理システムの内部モジュール構成をさらに詳細に説明した図である。
【００４９】
コンテンツ管理サーバ２は、ユーザ端末１と、各種情報サイト３などとのインターネット５を介した情報送受信部２１と、特定時点のコンテキスト情報を収集するコンテキスト収集部２２と、収集されたコンテキストの時間的変化や複数コンテキスト間の関係などに着目して加工するコンテキスト加工部２３と、収集もしくは加工されたコンテキストを蓄積・管理するコンテキスト管理部２４と、ユーザ端末から登録されるコンテンツを収集もしくは加工されたコンテキストとあわせて蓄積・管理するコンテンツ管理部２５と、ユーザの識別子やパスワードなどの各種ユーザ情報を管理するユーザ情報管理部２６と、コンテンツ管理システムの各モジュールに指示を出し、コンテンツ管理処理全体を指揮する中央処理部２７と、からなる。
【００５０】
なお、図２に示す構成は本発明の実施の形態の一例であり、各構成部分の物理的配備を限定するものではない。例えば、コンテキスト管理部２４を、中央処理部２７やコンテキスト加工部２４と物理的に別のサーバに分散配備することも可能である。
【００５１】
図３は、本発明の実施の形態によるコンテンツ管理システム構成モジュール（要素）間の情報の送受信とモジュール内動作を示す図である。なお、図３のシーケンス軸に示される１、２１〜２７の数字は、図１および図２で説明した構成部分に付した番号に対応する。またステップＳ１〜Ｓ３５は構成部分間の信号処理ステップを、Ｔ１〜Ｔ３は構成部分内のタスク処理を示す。
【００５２】
図３の情報の送受信ステップＳ１において、ユーザ端末１はコンテンツ管理サーバ２の情報送受信部２１を介して中央処理部２７に対してログイン要求を送信する。具体的には、ｈｔｔｐ／ｈｔｔｐｓ／ｓｍｔｐなどの通信プロトコルを利用することができる。中央処理部２７は情報送受信部２１を介して、ユーザ認証要求ステップＳ２をユーザ端末１に送信する。ユーザ端末１はユーザが入力した認証情報、たとえばユーザＩＤやパスワードを送受信ステップＳ３において情報送受信２１を介して中央処理部２７へ返送する。中央処理部２７はユーザ情報管理部２６に格納されているユーザ毎のパスワード情報を参照（ステップＳ４／ステップＳ５）し、ユーザ認証を実施する（Ｔ１）。
【００５３】
ユーザ認証に成功すると中央処理部２７は情報送受信部２１を介して、ＴＯＰ画面をユーザ端末１に返送する（ステップＳ６）。図４はＴＯＰ画面の一例を示す。
【００５４】
以降、コンテンツ登録時（おすすめ登録）とコンテンツ閲覧時（おすすめ検索）のそれぞれについての実施の形態を示す。
【００５５】
ユーザがＴＯＰ画面のおすすめ登録を選択することにより、ユーザ端末１はコンテンツ登録要求（ステップＳ７）を情報送受信部２１を介して中央処理部２７に送信する。中央処理部２７は情報送受信部２１を介してユーザ端末１に情報登録画面を返送する（ステップＳ８）。図５は情報登録画面の一例を示す。図５において題名はコンテンツのタイトルを、カテゴリはコンテンツの種類（例えば食べる、遊ぶなど）を、コメントは具体的なコンテンツを、公開レベルは登録したコンテンツの公開対象（例えば、利用者全員に公開するか、自分だけのプライベート情報にするかなど）を指定するものである。
【００５６】
ユーザがコンテンツ情報を入力し、画面下部にある２つのボタン「良い情報登録」もしくは「悪い情報登録」を押下すると、ユーザ端末１は登録されたコンテンツを情報送受信部２１を介して中央処理部２７に送信する（ステップＳ９）。
【００５７】
中央処理部２７は、ユーザ端末１にコンテンツ情報登録画面を返送する（ステップＳ８）のと同時に、コンテキスト情報収集部２２に対して、コンテキスト情報収集要求（ステップＳ１０）を送信する。コンテキスト情報収集部２２は、位置発信デバイス６に情報登録者の位置情報取得要求（ステップＳ１１）を送信する。位置発信デバイス６は情報登録者の位置情報を取得し、コンテキスト情報収集部２２へ返送する（ステップＳ１２）。例えば位置発信デバイス６がＰＨＳの場合は、ＰＨＳの基地局情報を位置情報として利用できる。
【００５８】
また、位置発信デバイス６がＲＦＩＤタグの場合は、タグ情報を読み込んだＲＦＩＤタグリーダの設置位置を位置情報として利用することもできる。このときコンテキスト情報収集部２２は、情報登録者の友人や恋人など、登録者と関係がある特定ユーザの位置情報を同時に取得し、情報登録者と特定ユーザ間の距離を計算し、一定距離内にいるユーザを特定する（Ｔ２）ことも可能である。
【００５９】
また、コンテキスト情報収集部２２は、取得した「コンテンツ情報登録者の位置情報」に関連する情報、例えば登録位置の天候などの情報をインターネット上の各種サイト３から取得する（ステップＳ１３／ステップＳ１４）ことも可能である。
【００６０】
コンテキスト情報収集部２２は取得したコンテキスト情報を中央処理部２７に返送し（ステップＳ１５）、中央処理部は返送されたコンテキスト管理部２４に格納する（ステップＳ１６）。ステップＳ１７はコンテキスト管理部２４からの成功応答である。以上、ユーザからのコンテンツ情報登録を契機にコンテキスト収集する例を記載したが、中央処理部２７およびコンテキスト情報収集部２２はこれとは別に定期的にユーザのコンテキスト情報を自動収集し、コンテキスト管理部に保存する。すなわち図３の送受信ステップＳ１０〜ステップＳ１７を例えば毎時００分に全てのユーザに対して実施する。
【００６１】
図６にコンテキスト管理部２４の構成例を示す。２行目（２００４／０１／１４  １０：３３：２５）がユーザからのコンテンツ情報登録を契機にコンテキスト収集をした例を、１，３，４，５行目がシステムが定期的にコンテキスト収集した例を示す。
【００６２】
続いて中央処理部２７は、ユーザが登録したコンテンツ情報を収集したコンテキスト情報とともにコンテンツ管理部２５に格納する（ステップＳ１８）。ステップＳ１９はコンテンツ管理部２５からの成功応答である。
【００６３】
中央処理部２７は、ユーザが登録したコンテンツ情報を収集したコンテキスト情報とともにコンテンツ管理部２５に格納するのと同時に、コンテキスト加工部２３に対して、コンテンツ情報登録前後コンテキスト収集要求（ステップＳ２０）を送信する。コンテキスト加工部２３は、コンテキスト管理部２４に格納されているコンテキスト情報を参照（ステップＳ２１／ステップＳ２２）し、コンテンツ情報登録前後のコンテキストを生成する（Ｔ３）。
【００６４】
本実施の形態では、コンテンツ情報登録前後コンテキストとして、一定距離内にいるユーザの時間変化およびユーザの位置の時間的変化を利用した同伴者と滞在時間の生成例を示す。例えば、コンテキスト加工部２３は、図６の例でｕｓｅｒ  ｉｄ  ００００１のユーザの位置は、コンテンツ情報登録（２００４／０１／１４  １０：３３：２５）の前後（２００４／０１／１４  １０：００：００と２００４／０１／１４  １１：００：００）で変動していないことを検出し、ユーザ００００１がコンテンツ情報登録した地点に６０分間滞在していると判断することができる。
【００６５】
また、コンテンツ情報登録前後でユーザ００００２が常にユーザ００００１の近傍にいることから、コンテンツ情報登録時点でユーザ００００１はユーザ００００２と同伴していたと判断することができる。コンテキスト加工部はユーザ情報管理部２６にユーザ００００１とユーザ００００２の関係を問い合わせ、例えばユーザ００００２はユーザ００００１の彼女であることを取得することも可能である（ステップＳ２３／ステップＳ２４）。コンテキスト加工部２４は生成したコンテンツ情報登録前後コンテキスト情報を中央処理部２７へ返送する（ステップＳ２５）。
【００６６】
なお、本実施の形態で示した同伴者と滞在時間は、あくまで「コンテンツが登録された時点およびその前後一定期間の状況情報を比較し、その時間的変動を検出する手段」の例にすぎず、本発明の技術的な範囲を制限するものではない。例えば、同伴者の変化（一人→彼女と同伴）を検出し「彼女とデートする前」といったコンテキストを作ることも可能である。
【００６７】
中央処理部２７は受信したコンテンツ情報登録前後コンテキスト情報を、コンテンツ管理部２５に格納する（ステップＳ２６）。ステップＳ２７はコンテンツ管理部２５からの成功応答である。
【００６８】
図７にコンテンツ管理部の構成例を示す。Ａがユーザが登録したコンテンツ情報、Ｂがコンテンツ情報登録時のコンテキスト情報、Ｃがコンテンツ情報登録前後のコンテキスト情報を示す。
【００６９】
次にユーザが情報を閲覧する場合の実施例を示す。ユーザがＴＯＰ画面のおすすめ検索を選択することにより、ユーザ端末１はコンテンツ閲覧要求（ステップＳ２８）を情報送受信部２１を介して中央処理部２７に返信する。中央処理部２７は情報送受信部２１を介してユーザ端末１に情報閲覧要求画面を返送する（ステップＳ２９）。
【００７０】
図８は情報閲覧要求画面の一例を示す。ユーザが閲覧したい情報のカテゴリを選択し、おすすめ検索ボタンを押下すると、ユーザ端末１はカテゴリ情報通知（ステップＳ３０）を情報送受信部２１を介して中央処理部２７に送信する。中央処理部は、コンテンツ情報登録時に説明したステップＳ１０〜ステップＳ１５（図３中の枠囲みＡ）およびステップＳ２０〜ステップＳ２５（図３の枠囲みＢ）と同一の処理を行い、情報閲覧時および情報閲覧前のコンテキスト情報を収集する。
【００７１】
なお、枠囲みＢの処理において、情報閲覧時に情報閲覧後のコンテキスト情報を収集することはできないが、すでに登録されている情報登録後のコンテキスト情報（例えば、彼女とデートする）をユーザ端末に通知し、ユーザが選択することも可能である。
【００７２】
続いて、中央処理部２７は上記枠囲みＡと枠囲みＢで収集したコンテキストを検索キーとして、コンテンツ管理部２５を検索し、（ステップＳ３１）、検索キーに合致するコンテンツ情報（図７の枠囲みＡの情報）を取得する（ステップＳ３２）。
【００７３】
中央処理部２７は、複数のコンテンツ情報が取得された場合、コンテキストの合致レベルに応じてこれらの情報を優先度付けする（Ｔ４）。たとえば、合致したコンテキスト数の多さで優先度付けすることもできるし、情報閲覧者毎に「ユーザＡは位置が合致していることを優先する」「ユーザＢは同伴者が合致していることを優先する」といったルールを設け、合致したコンテキストの種類に応じて重み付けした優先度をつけることも可能である。中央処理部２７は、優先度付けた検索結果一覧を情報送受信部２１を介してユーザ端末１に返送する（ステップＳ３３）。
【００７４】
図９は検索結果一覧画面の一例を示す。ユーザが閲覧したいコンテンツ情報（例えばカレーフェア）を選択すると、ユーザ端末１は選択されたコンテンツ名を情報送受信部２１を介して中央処理部２７に返送する（ステップＳ３４）。中央処理部２７は情報送受信部２１を介して、指定されたコンテンツ情報の詳細をユーザ端末に返送する（ステップＳ３５）。
【００７５】
図１０にコンテンツ情報詳細画面の一例を示す。ヒットした理由には、コンテンツ選択において合致したコンテキストが表示されている。
【００７６】
なお、これまで情報登録時にシステムが収集したコンテキストと、情報閲覧時にシステムが収集したコンテキストの合致判定によりコンテンツを選択する例を説明したが、図１１に示すように、情報登録者が開示するコンテキスト条件を明示的に指定することも可能である。図１１は、情報登録者がコンテンツ情報開示条件として「ランチの時間帯に彼氏、彼女と一緒にいるユーザ」を指定している例を示している。
【００７７】
なお、利用者が明示的に情報検索要求動作を行なわなくとも、例えばユーザの携帯情報端末に常駐するアプリケーションが定期的に情報検索要求を送信し、その時点での利用者の状況に合致するコンテンツ情報を電子メールなどの手段を用いて利用者に送信することも可能である。また、システムが定期的に利用者の状況を収集する（図３の枠囲みＡの処理を実施する）時刻、例えば毎時００分を契機として、コンテキストの合致判定を実施し、利用者の状況に合致するコンテンツ情報を電子メールなどの手段を用いて利用者に送信することも可能である。
【００７８】
以上の実施の形態において、情報登録者がコンテンツ情報開示先ユーザとコンテンツ情報開示条件を明示的に指定することにより、例えば「Ｘさんが一人で渋谷に居るときにメールを届ける」といった条件指定付きメールといった利用形態も可能となる。
【００７９】
本発明によるその他の実施の形態として、ステップＳ１０〜ステップＳ１５（図３の枠囲みＡ）およびステップＳ２０〜ステップＳ２５（図３の枠囲みＢ）の処理により収集される、情報閲覧時および情報閲覧前のコンテキスト情報をデータベースに蓄積し、登録された特定のコンテンツ情報を情報閲覧者がどのような状況で閲覧しているかの統計情報を生成してもよい。さらに生成した統計情報により、図７の枠囲みＢおよび枠囲みＣで指定されるコンテキスト情報を上書きすることで、図３のステップＳ３１およびステップＳ３２で行なわれるコンテンツ選択処理において、登録されたコンテンツ情報の実際の閲覧状況にあわたコンテンツ情報選択が可能となる。
【００８０】
以上述べた本発明の実施の形態においては、移動体通信網またはインターネットに接続された利用者端末から登録されるコンテンツに、コンテンツ登録時点およびその前後の登録者の状況情報を自動付与し、情報閲覧者が情報を検索する時点およびその前後の検索者の状況と比較することにより、情報閲覧者の状況に近い登録情報を提供することが可能になる。
【００８１】
これにより、大量の公開情報を利用者間で簡単に登録・共有することができるため、サービス運営者にとっては利用者に大きな負担をかけることなく情報収集を依頼することが可能となり、また利用者から収集した情報の利用傾向やその価値を簡単に把握できるため、常に最新の価値ある情報を提供できるサイトを低コストで構築できるという効果を提供することができる。また、利用者にとっては多くの最新公開情報から自分の状況にあったものを複雑な操作なしに簡単に見つけられるという効果を提供することができる。
【図面の簡単な説明】
【００８２】
【図１】本発明のコンテンツ管理システムの実施の形態に係る、コンテンツ管理システムの概略構成を示す構成図である。
【図２】本発明のコンテンツ管理システムの実施の形態に係る、内部モジュール構成を詳細に説明するための構成図である。
【図３】本発明のコンテンツ管理システムの実施の形態に係る、構成モジュール間の情報の送受信とモジュール内動作を示す図である。
【図４】本発明のコンテンツ管理システムの実施の形態に係る、ＴＯＰ画面の一例を示す。
【図５】本発明のコンテンツ管理システムの実施の形態に係る、情報登録画面の一例を示す。
【図６】本発明のコンテンツ管理システムの実施の形態に係る、コンテキスト管理部の構成例を示す。
【図７】本発明のコンテンツ管理システムの実施の形態に係る、コンテンツ管理部の構成例を示す。
【図８】本発明のコンテンツ管理システムの実施の形態に係る、情報閲覧要求画面の一例を示す。
【図９】本発明のコンテンツ管理システムの実施の形態に係る、検索結果一覧画面の一例を示す。
【図１０】本発明のコンテンツ管理システムの実施の形態に係る、コンテンツ情報詳細画面の一例を示す。
【図１１】本発明のコンテンツ管理システムの実施の形態に係る、コンテキスト情報表示画面の一例を示す。
【符号の説明】
【００８３】
１  ユーザ端末
２  コンテンツ管理サーバ
３  各種情報サイト
４  移動通信網
５  インターネット
６  位置発信デバイス
１１  携帯電話端末
１２  パーソナルデジタルアシスタンス（ＰＤＡ）
１３  パーソナルコンピュータ
２１  情報送受信部
２２  コンテキスト収集部（コンテンツ登録手段）
２３  コンテキスト加工部
２４  コンテキスト管理部
２５  コンテンツ管理部
２６  ユーザ情報管理部
２７  中央処理部
【図１】
2005259099.tif 000003
【図２】
2005259099.tif 000004
【図３】
2005259099.tif 000005
【図４】
2005259099.tif 000006
【図５】
2005259099.tif 000007
【図６】
2005259099.tif 000008
【図７】
2005259099.tif 000009
【図８】
2005259099.tif 000010
【図９】
2005259099.tif 000011
【図１０】
2005259099.tif 000012
【図１１】
2005259099.tif 000013